【手続補正書】
【提出日】平成15年8月4日(2003.8.4)
【手続補正１】
【補正対象書類名】明細書
【補正対象項目名】特許請求の範囲
【補正方法】変更
【補正の内容】
【特許請求の範囲】
【請求項１】
複数の素材画像をモザイク様に組み合わせてモザイク画像を生成する画像処理装置であって、
複数の素材画像を記憶する記憶手段と、
元になる画像を複数のタイル領域に分割し、前記分割された各タイル領域に対応する前記記憶手段に記憶された複数の素材画像のいずれかを選択してモザイク画像を作成する作成手段と、
前記作成手段により作成されたモザイク画像のタイル領域が指示されると、当該タイル領域に対応する素材画像候補を表示する候補表示手段と、
前記候補表示手段により表示された素材画像候補の中から素材画像を選択して当該タイル領域の素材画像として決定する素材画像決定手段と、
を有することを特徴とする画像処理装置。
【請求項２】
前記作成手段は、
前記元になる画像を分割した各タイル領域の平均濃度を計算する演算手段と、
前記記憶手段に記憶されている複数の素材画像のそれぞれの平均濃度を算出する計算手段と、
前記演算手段により演算された各タイル領域の平均濃度と前記計算手段により得られた前記複数の素材画像のそれぞれの平均濃度の差分に応じて前記各タイル領域に割り当てる素材画像を決定する素材画像決定手段と、
を有することを特徴とする請求項１に記載の画像処理装置。
【請求項３】
前記作成手段により作成されたモザイク画像を表示する表示手段と、
前記表示手段に表示されたモザイク画像のタイル領域を指示する指示手段と、  前記素材画像決定手段により決定された素材画像を用いて前記モザイク画像を更新する更新手段とを更に有し、前記候補表示手段は、前記指示手段により指示されたタイル領域に対応する素材画像候補を表示することを特徴とする請求項１又は２に記載の画像処理装置。
【請求項４】
前記更新手段は、前記候補表示手段により表示された複数の素材画像候補の中から手動により選択された素材画像を用いて前記モザイク画像を更新することを特徴とする請求項３に記載の画像処理装置。
【請求項５】
前記更新手段による更新処理を中断する手段を更に有することを特徴とする請求項３に記載の画像処理装置。
【請求項６】
前記候補表示手段は、所定の条件に基づいて候補を選択して表示することを特徴とする請求項３に記載の画像処理装置。
【請求項７】
前記候補表示手段は、前記演算手段により演算された各タイル領域の平均濃度と前記計算手段により得られた前記複数の素材画像のそれぞれの平均濃度の差分に応じて素材画像候補を選択して表示することを特徴とする請求項２に記載の画像処理装置。
【請求項８】
前記候補表示手段は、前記素材画像候補を複数所定のウインドウ内に表示することを特徴とする請求項３記載の画像処理装置。
【請求項９】
前記所定のウインドウは、前記指示手段により指示されたタイル領域に重複しない位置に表示されることを特徴とする請求項８に記載の画像処理装置。
【請求項１０】
複数の素材画像をモザイク様に組み合わせてモザイク画像を生成する画像処理方法であって、
元になる画像を複数のタイル領域に分割する工程と、
前記分割された各タイル領域に対応する複数の素材画像のいずれかを選択してモザイク画像を作成する作成工程と、
前記作成工程で作成されたモザイク画像のタイル領域が指示されると、当該タイル領域に対応する素材画像候補を表示する候補表示工程と、
前記候補表示工程で表示された素材画像候補の中から素材画像を選択して当該タイル領域の素材画像として決定する素材画像決定工程と、
を有することを特徴とする画像処理方法。
【請求項１１】
前記作成工程は、
前記元になる画像を分割した各タイル領域の平均濃度を計算する演算工程と、
複数の素材画像のそれぞれの平均濃度を算出する計算工程と、
前記演算工程で演算された各タイル領域の平均濃度と前記計算工程で得られた前記複数の素材画像のそれぞれの平均濃度の差分に応じて前記各タイル領域に割り当てる素材画像を決定する素材画像決定工程と、
を有することを特徴とする請求項１０に記載の画像処理方法。
【請求項１２】
前記素材画像決定工程は、
前記作成工程で作成されたモザイク画像を表示する表示工程と、
前記表示工程で表示されたモザイク画像のタイル領域を指示する指示工程と、  前記候補表示工程で表示された素材画像候補の中から選択された素材画像を用いて前記表示されているモザイク画像を更新する更新工程とを更に有し、前記候補表示工程では、前記指示工程で指示されたタイル領域に対応する素材画像候補を表示することを特徴とする請求項１０又は１１に記載の画像処理方法。
【請求項１３】
前記更新工程では、表示された複数の素材画像候補の中から手動により選択された素材画像を用いて前記モザイク画像を更新することを特徴とする請求項１２に記載の画像処理方法。
【請求項１４】
前記更新工程での更新処理を中断する工程を更に含むことを特徴とする請求項１２に記載の画像処理方法。
【請求項１５】
前記候補表示工程では、
前記演算工程で演算された各タイル領域の平均濃度と前記計算工程で得られた前記複数の素材画像のそれぞれの平均濃度の差分に応じて素材画像候補を選択して表示することを特徴とする請求項１１に記載の画像処理方法。
【請求項１６】
前記候補表示工程は、前記素材画像候補を複数所定のウインドウ内に表示することを特徴とする請求項１２記載の画像処理方法。
【請求項１７】
前記所定のウインドウは、前記指示工程で指示されたタイル領域に重複しない位置に表示されることを特徴とする請求項１６に記載の画像処理方法。
【請求項１８】
複数の素材画像をモザイク様に組み合わせてモザイク画像を生成する画像処理方法を実行するプログラムを記憶するコンピュータにより読み取り可能な記憶媒体であって、
元になる画像を複数のタイル領域に分割する工程モジュールと、
前記分割された各タイル領域に対応する複数の素材画像のいずれかを選択してモザイク画像を作成する作成工程モジュールと、
前記作成工程モジュールで作成されたモザイク画像のタイル領域が指示されると、当該タイル領域に対応する素材画像候補を表示する候補表示工程モジュールと、
前記候補表示工程モジュールで表示された素材画像候補の中から素材画像を選択して当該タイル領域の素材画像として決定する素材画像決定工程モジュールと、
を有することを特徴とする記憶媒体。
【請求項１９】
前記作成工程モジュールは、
前記元になる画像を分割した各タイル領域の平均濃度を計算する演算工程モジュールと、
前記記憶されている複数の素材画像のそれぞれの平均濃度を算出する計算工程モジュールと、
前記演算工程モジュールで演算された各タイル領域の平均濃度と前記計算工程モジュールで得られた前記複数の素材画像のそれぞれの平均濃度の差分に応じて前記各タイル領域に割り当てる素材画像を決定する素材画像決定工程モジュールと、
を有することを特徴とする請求項１８に記載の記憶媒体。
【請求項２０】
前記素材画像決定工程モジュールは、
前記作成工程モジュールで作成されたモザイク画像を表示する表示工程モジュールと、
前記表示工程モジュールで表示されたモザイク画像のタイル領域を指示する指示工程モジュールと、
前記候補表示工程モジュールで表示された素材画像候補の中から選択された素材画像を用いて前記表示されているモザイク画像を更新する更新工程モジュールとを更に有し、
前記候補表示工程モジュールは、前記指示工程モジュールで指示されたタイル領域に対応する素材画像候補を表示することを特徴とする請求項１８又は１９に記載の記憶媒体。
【請求項２１】
前記候補表示工程モジュールは、
前記演算工程モジュールで演算された各タイル領域の平均濃度と前記計算工程モジュールで得られた前記複数の素材画像のそれぞれの平均濃度の差分に応じて素材画像候補を選択して表示することを特徴とする請求項１９に記載の記憶媒体。
【手続補正２】
【補正対象書類名】明細書
【補正対象項目名】０００７
【補正方法】変更
【補正の内容】
【０００７】
【課題を解決するための手段】
上記目的を達成するために本発明の画像処理装置は以下のような構成を備える。即ち、
複数の素材画像をモザイク様に組み合わせてモザイク画像を生成する画像処理装置であって、
複数の素材画像を記憶する記憶手段と、
元になる画像を複数のタイル領域に分割し、前記分割された各タイル領域に対応する前記記憶手段に記憶された複数の素材画像のいずれかを選択してモザイク画像を作成する作成手段と、
前記作成手段により作成されたモザイク画像のタイル領域が指示されると、当該タイル領域に対応する素材画像候補を表示する候補表示手段と、
前記候補表示手段により表示された素材画像候補の中から素材画像を選択して当該タイル領域の素材画像として決定する素材画像決定手段と、
を有することを特徴とする。


【手続補正３】
【補正対象書類名】明細書
【補正対象項目名】０００８
【補正方法】変更
【補正の内容】
【０００８】
上記目的を達成するために本発明の画像処理方法は以下のような工程を備える。即ち、
複数の素材画像をモザイク様に組み合わせてモザイク画像を生成する画像処理方法であって、
元になる画像を複数のタイル領域に分割する工程と、
前記分割された各タイル領域に対応する複数の素材画像のいずれかを選択してモザイク画像を作成する作成工程と、
前記作成工程で作成されたモザイク画像のタイル領域が指示されると、当該タイル領域に対応する素材画像候補を表示する候補表示工程と、
前記候補表示工程で表示された素材画像候補の中から素材画像を選択して当該タイル領域の素材画像として決定する素材画像決定工程と、
を有することを特徴とする。